(57)【要約】【課題】組み付け作業性が良好で生産性を向上することのできる、確実な組み付け構造を有する変速機の操作装置を提供する。【解決手段】ケーシングに保持されて軸方向の移動及び軸周りの回動が可能なシフトアンドセレクト軸３と、該軸３と一体に形成され複数のフォーク軸の一つと係合してセレクト操作しかつセレクトした該フォーク軸をシフト操作するインナーレバー４と、該軸３に相対回動可能に保持されるとともに該セレクト操作に同期してセレクトされなかった残りの該フォーク軸に係合するインターロックプレート５と、組み付け時に該インターロックプレート５の回動を禁止するアクチュエータプレート６と、を備える変速機の操作装置１において、前記インターロックプレート５は軸方向に延びるロック部材５１をもち、前記アクチュエータプレート６は組み付け時に該ロック部材５１を軸方向移動可能かつ軸周り回動不可能に挟持する複数個の爪部材６２をもつ。【選択図】図１
2008128465.tif 000002
【特許請求の範囲】
【請求項１】
ケーシングに保持されて軸方向の移動及び軸周りの回動が可能なシフトアンドセレクト軸と、該シフトアンドセレクト軸と一体に形成され該移動により複数のフォーク軸の一つと係合してセレクト操作しかつ該回動によりセレクトした該フォーク軸をシフト操作するインナーレバーと、該シフトアンドセレクト軸に相対回動可能に保持されるとともに該セレクト操作に同期してセレクトされなかった残りの該フォーク軸に係合するインターロックプレートと、組み付け時に該インターロックプレートの回動を禁止するアクチュエータプレートと、を備える変速機の操作装置において、
前記インターロックプレートは軸方向に延びるロック部材をもち、前記アクチュエータプレートは組み付け時に該ロック部材を軸方向移動可能かつ軸周り回動不可能に挟持する複数個の爪部材をもつことを特徴とする変速機の操作装置。
【請求項２】
前記アクチュエータプレートは、前記シフトアンドセレクト軸を軸方向及び軸周りに駆動するギヤ機構の少なくとも一部を保持する押さえ部材を兼用する請求項１に記載の変速機の操作装置。
【発明の詳細な説明】
【技術分野】
【０００１】
本発明は車両用変速機の操作装置に関し、より詳細には同期噛合式変速機の操作装置の組み付け構造に関する。
【背景技術】
【０００２】
車両用変速機の一形式として、複数の変速ギヤ対を備え、アクチュエータあるいは人手によりギヤ対を選択し、同期後に噛合させる同期噛合式変速機がある。この種の変速機の操作装置には、例えば本願出願人が特許文献１に開示した手動変速機のシフト機構がある。特許文献１のシフト機構は、シフトアンドセレクトシャフトと、シフトインナーレバー部材と、インターロック部材とを備え、手動で操作するものである。
【０００３】
ここで、シフトアンドセレクト軸は、セレクト操作に応じて軸方向に移動しシフト操作に応じて軸周りに回動するように、ケーシングに保持されている場合が多い。インナーレバーはシフトアンドセレクト軸と一体に形成され、セレクト操作により変速ギヤ対に連結される複数のフォーク軸と選択的に係合し、シフト操作により変速ギヤ対を噛合させるようになっている。また、インターロックプレートは選択されなかったフォーク軸に係合し、誤って操作されないようにする役割をもっている。このため、インターロックプレートは、シフト操作に応じてインナーレバーとともに移動し、インナーレバーが係合しなかったフォーク軸に係合するよう構成されている。そして、インナーレバーが回動するときに、インターロックプレートは回動しないように拘束されている。
【０００４】
このインターロックプレートは、組み付け時には拘束されておらず回動すると組み付け作業が行えないので、回動を禁止して正規位置に保持する目的でアクチュエータプレートが用いられている。アクチュエータプレートは軸方向に延びる爪部材をもち、ケーシングに固定されている。爪部材は、インターロックプレートの軸方向に延びるロック部材と係合し、軸方向の移動のみを許容して回動を禁止するようになっている。一方、シフトアンドセレクト軸を軸方向及び軸周りに駆動するために、通常はギヤ機構が用いられている。ギヤ機構はアクチュエータモータや人手の操作力を変速機の操作に適した形態に変換するものである。アクチュエータプレートは、このギヤ機構を保持する押さえ部材を兼用している場合が多い。
【特許文献１】特開２００４−１５０５７１号公報
【発明の開示】
【発明が解決しようとする課題】
【０００５】
ところで、操作装置の組み立て作業では、事前にシフトアンドセレクト軸、インナーレバー、インターロックプレートの３部材を組み立ててアセンブル部品としておき、まずギヤ機構をケーシング上に戴置してアクチュエータプレートで押さえながら固定し、次にこれらのアセンブル部品を組み付けていた。そして、インターロックプレートの２本の並行するロック部材の間にアクチュエータプレートの単一の爪部材が入り込む構造として、組み付け時の配置を決定し、また作業の便を図っていた。ところが、組み付け時には拘束されていないインターロックプレートが回動し、ロック部材の間でなく外側に爪部材が配置されてしまう場合が生じ、組み付け作業をやり直す手間が発生していた。すなわち、組み付け作業性が悪く、生産性が低かった。
【０００６】
本発明は上記背景に鑑みてなされたものであり、組み付け作業性が良好で生産性を向上することのできる、確実な組み付け構造を有する変速機の操作装置を提供する。
【課題を解決するための手段】
【０００７】
本発明の変速機の操作装置は、ケーシングに保持されて軸方向の移動及び軸周りの回動が可能なシフトアンドセレクト軸と、該シフトアンドセレクト軸と一体に形成され該移動により複数のフォーク軸の一つと係合してセレクト操作しかつ該回動によりセレクトした該フォーク軸をシフト操作するインナーレバーと、該シフトアンドセレクト軸に相対回動可能に保持されるとともに該セレクト操作に同期してセレクトされなかった残りの該フォーク軸に係合するインターロックプレートと、組み付け時に該インターロックプレートの回動を禁止するアクチュエータプレートと、を備える変速機の操作装置において、前記インターロックプレートは軸方向に延びるロック部材をもち、前記アクチュエータプレートは組み付け時に該ロック部材を軸方向移動可能かつ軸周り回動不可能に挟持する複数個の爪部材をもつことを特徴とする。
【０００８】
また、前記アクチュエータプレートは、前記シフトアンドセレクト軸を軸方向及び軸周りに駆動するギヤ機構の少なくとも一部を保持する押さえ部材を兼用することが好ましい。
【０００９】
本発明の操作装置は、軸方向の移動及び軸周りの回動により操作される方式の変速機に適用可能であり、例えば複数のシンクロメッシュ機構をもつ同期噛合式変速機に適用することができる。そして、シンクロメッシュ機構に連結されている各フォーク軸のセレクト操作及びシフト操作を、シフトアンドセレクト軸及びインナーレバーによって行うことができる。シフトアンドセレクト軸は、セレクト操作に応じて軸方向に移動しシフト操作に応じて軸周りに回動するように、ケーシングに保持することができる。インナーレバーはシフトアンドセレクト軸と一体とし、セレクト操作により複数のフォーク軸と選択的に係合し、シフト操作によりフォーク軸を駆動してシンクロメッシュ機構を操作するように形成することができる。さらに、インターロックプレートを設けて、シフトアンドセレクト軸と一緒に軸方向に移動してセレクトされなかった残りの該フォーク軸に係合し、軸周りには回動しないように形成することができる。
【００１０】
本発明は、組み付け時にインターロックプレートの回動を禁止するアクチュエータプレートの構造に特徴を有している。すなわち、インターロックプレートは軸方向に延びるロック部材をもち、アクチュエータプレートは組み付け時にロック部材を軸方向移動可能かつ軸周り回動不可能に挟持する複数個の爪部材をもっている。インターロックプレートのロック部材は、例えば矩形の板材を、軸心から離れた位置に長辺を軸方向と平行に保持することによって、形成することができる。また、アクチュエータプレートは、例えば、シフトアンドセレクト軸と直交してケーシングに固定される基板と、ロック部材の短辺幅寸法よりもわずかに大きな間隔を開けてロック部材を両側から挟み込むように基板に立設される２個の矩形状の爪部材と、で形成することができる。ロック部材及び爪部材の個数はさらに多数とすることもできる。
【００１１】
一方、操作装置のケーシング内には、シフトアンドセレクト軸を軸方向及び軸周りに駆動するためのギヤ機構を収納することができる。アクチュエータプレートの基板には、爪部材の他に押さえ部材を付設して、ギヤ機構の少なくとも一部を保持するように形成することができる。あるいは、基板自体でギヤ機構を保持することもできる。
【００１２】
次に、上述のように構成した本発明の変速機の操作装置の動作及び作用について説明する。まず、セレクト操作でシフトアンドセレクト軸及びインナーレバーが軸方向に移動するとき、ロック部材も軸方向に摺動して爪部材の間を移動及び離脱し、インターロックプレートも軸方向に移動してセレクトされなかった残りのフォーク軸に係合する。次に、シフト操作でシフトアンドセレクト軸及びインナーレバーが軸周りに回動するとき、インターロックプレートは、ロック部材と爪部材との位置関係とは別に、他の部材に拘束されて回動を禁止されている。したがって、インターロックプレートは回動せず、セレクトされなかったフォーク軸をロックすることができる。
【００１３】
また、操作装置の組み立て作業においては、インターロックプレートの回動が爪部材により規制されるため、組み付け作業は容易であり、作業性は良好となっている。つまり、インターロックプレートを含むアセンブル部品を組み付ける際に、インターロックプレートが回動した状態ではロック部材が爪部材に当接し正規位置に配置することができないので、誤って組み付けてしまうおそれが生じない。そして、ロック部材が爪部材に挟持されることによって回転が矯正されるので、確実に正しい構造に組み付けることができ、やり直す手間が発生しない。
【発明の効果】
【００１４】
本発明の変速機の操作装置では、組み付け時にインターロックプレートのロック部材を軸方向移動可能かつ軸周り回動不可能に挟持する複数個の爪部材をアクチュエータプレートに設けたので、操作装置の組み立てにおいてインターロックプレートを含むアセンブル部品の組み付け作業性は良好となり、確実な組み付け構造とすることができた。
【発明を実施するための最良の形態】
【００１５】
本発明を実施するための最良の形態を、図１〜図３を参考にして説明する。図１は、本発明の実施例の変速機の操作装置を説明する斜視図である。実施例の操作装置１は、ケーシング２に、シフトアンドセレクト軸３を含むアセンブル部品、アクチュエータプレート６、ギヤ機構、２個のモータ８１、８２が組み付けられて構成されている。
【００１６】
ケーシング２には、各種部材組み付けに必要な孔加工や座取り付けが施されており、図中左上方に開いた部分で最終的に変速機本体に組み付けられるように形成されている。シフトアンドセレクト軸３は、ケーシング２の略中央に立設され、図中下端はケーシング２内で軸方向移動及び軸周り回動自在に保持され、図中上端はケーシング２外に突出している。インナーレバー４は、シフトアンドセレクト軸３の中央付近にボルト４１で固定され、図中裏面で変速機本体側のフォーク軸と選択的に係合するように形成されている。インターロックプレート５は、シフトアンドセレクト軸３と一緒に軸方向に移動し軸周りには相対回動するとともに、図中裏面でセレクトされなかった残りの該フォーク軸に係合するように形成されている。インターロックプレート５の図中右前面には、軸方向に並行する２個のロック部材５１が設けられている。シフトアンドセレクト軸３と、インナーレバー４と、インターロックプレート５とは、事前に組み立てられてアセンブル部品とされ、一括してケーシング２に組み込まれるようになっている。
【００１７】
アクチュエータプレート６は、図２の拡大斜視図に示されるように、基板６１と２個の爪部材６２と押さえ部材６３とで形成されている。基板６１には、シフトアンドセレクト軸３が通り抜ける軸孔６４と、固定用の２個の取り付け孔６５とが穿たれている。そして、基板６１に対して直角に図中上側端面から２個の矩形状の爪部材６２が立設されている。２個の爪部材６２は平行とされ、その間隔は２個のロック部材５１の外側寸法よりもわずかに大とされている。また、基板６１の図中上側端面から、爪部材６２とは反対向きに押さえ部材６３が立設されている。アクチュエータプレート６は、図１に示されるように２個の爪部材６２がロック部材５１を挟み込むように配置され、２本のボルト６６によって取り付け孔６５が締め付けられてケーシング２に固定されている。
【００１８】
アクチュエータプレート６とケーシング２との間の空間には、リングギヤ７１とファイナルギヤ７２とが配置されている。リングギヤ７１は、アクチュエータプレート６の押さえ部材６３によって外れないように保持され、ファイナルギヤ７２は基板６１により保持されている。リングギヤ７１及びファイナルギヤ７２は、ケーシング２外側に設けられたシフトモータ８１により駆動され、シフトアンドセレクト軸を軸周りに駆動するように構成されている。また、ケーシング２外側に設けられたセレクトモータ８２は、図略のギヤ機構を駆動して、シフトアンドセレクト軸3を軸方向に駆動するように構成されている。
【００１９】
実施例の操作装置１の組み立てにおいては、まずケーシング２にリングギヤ７１やファイナルギヤ７２などのギヤ機構を組み付け、次にアクチュエータプレート６を固定し、最後にアセンブル部品を図中左上方から軸方向に差し入れて組み付ける。このとき、アセンブル部品を回転させて２個のロック部材５１が２個の爪部材６２の間に入り込む正規状態に調整しながら組み付けることができる。そして、ロック部材５１が爪部材６２に当接した状態では組み付けは行えず、アセンブル部品の回転を矯正することにより、ロック部材５１が爪部材６２に挟持されて組み付けができるようになる。したがって、確実に正しい構造に組み付けることができ、やり直す手間が発生しない。
【００２０】
これに対して、従来は、図３の部品拡大図に示されるアクチュエータプレート９を用いていた。従来のアクチュエータプレート９は、基板６１の図中上側端面から単一の矩形状の爪部材９２が立設されており、この爪部材９２は２個のロック部材５１の中間に入り込むようになっていた。したがって、比較的小さな角度の回動によって、爪部材９２がロック５１部材の外側をすり抜けた状態で組み付けられることがあり、やり直す手間が発生していた。実施例の操作装置１は、アクチュエータプレート９が回動した状態での組み付けを、構造的に確実に防止することができる。
【図面の簡単な説明】
【００２１】
【図１】本発明の実施例の変速機の操作装置を説明する斜視図である。
【図２】図１の実施例における、アクチュエータプレートを説明する拡大斜視図である。
【図３】従来のアクチュエータプレートを説明する拡大斜視図である。
【符号の説明】
【００２２】
１：操作装置
２：ケーシング
３：シフトアンドセレクト軸
４：インナーレバー
５：インターロックプレート          ５１：ロック部材
６：アクチュエータプレート          ６２：爪部材
７１：リングギヤ                    ７２：ファイナルギヤ
８１：シフトモータ                  ８２：セレクトモータ
９：従来のアクチュエータプレート    ９２：（単一の）爪部材
【図１】
2008128465.tif 000003
【図２】
2008128465.tif 000004
【図３】
2008128465.tif 000005